(57)【要約】【課題】保冷効果に優れ、火葬の妨げにならない保冷体、及び、係る保冷体を用いた保冷用具を提供する。【解決手段】遺体を保冷するための保冷体であって、ケイ酸カルシウムとバーミキュライトとが混合されて成り、少なくともバーミキュライトに、液相をなす水、固相をなす水、若しくは、液相及び固相をなす水が含まれている。保冷用具は、遺体を保冷するための保冷用具であって、（Ａ）保冷体、及び、（Ｂ）保冷体が保持される保持部材から成る。保冷体は、保冷効果に優れ、火葬の妨げにならない。【選択図】  図１
2009000271.tif 000002
【特許請求の範囲】
【請求項１】
遺体を保冷するための保冷体であって、ケイ酸カルシウムとバーミキュライトとが混合されて成り、少なくともバーミキュライトに、液相をなす水、固相をなす水、若しくは、液相及び固相をなす水が含まれていることを特徴とする保冷体。
【請求項２】
薬剤が含まれていることを特徴とする請求項１に記載の保冷体。
【請求項３】
薬剤は抗菌剤であることを特徴とする請求項２に記載の保冷体。
【請求項４】
遺体を保冷するための保冷用具であって、
（Ａ）保冷体、及び、
（Ｂ）保冷体が保持される保持部材、
から成り、
保冷体は、ケイ酸カルシウムとバーミキュライトとが混合されて成り、少なくともバーミキュライトに、液相をなす水、固相をなす水、若しくは、液相及び固相をなす水が含まれていることを特徴とする保冷用具。
【請求項５】
保冷体には薬剤が含まれていることを特徴とする請求項４に記載の保冷用具。
【請求項６】
薬剤は抗菌剤であることを特徴とする請求項５に記載の保冷用具。
【発明の詳細な説明】
【技術分野】
【０００１】
本発明は、保冷体、及び、保冷体を用いた保冷用具に関し、特に、遺体を保冷するための保冷体、及び、保冷用具に関する。
【背景技術】
【０００２】
従来より、遺体の保冷にはドライアイスが広く利用されている。また、吸水したゲル状の高分子材料を凍らせた保冷材を利用した保冷シートも提案されている。例えば、実開平５−７６４２７号公報に開示されているように、２枚の不織布間に吸水性高分子材料を封入した保冷用シ−トを、長尺の合成樹脂フィルム上に複数枚接着してなる遺体保存用折り畳み保冷シ−トであって、該保冷用シ−トは、合成樹脂フィルムの片方の端から少なくとも保冷用シ−トの長さ分あけて接着され、更に、該保冷用シ−トの吸水状態時の厚さの倍数値の間隔をおいて他の保冷用シ−トが順次接着されている保冷シ−トが提案されている。
【０００３】
【特許文献１】実開平５−７６４２７号公報
【発明の開示】
【発明が解決しようとする課題】
【０００４】
しかしながら、ドライアイスを用いた保冷では、通常約１０〜１５キログラム程度のドライアイスが必要となる。このため、気化して流出する二酸化炭素の換気が必要となる等といった問題がある。吸水したゲル状の高分子材料を凍らせた保冷材は、常体に戻ってしまうと保冷効果は失われ、保冷効果として必ずしも充分ではないといった問題がある。更には、上述した高分子材料は合成樹脂材料から成るので、製造等に相応のコストがかかるし、火葬の妨げに成る等の問題も生じ得る。
【０００５】
従って、本発明の目的は、二酸化炭素の換気を必要とせず、保冷効果に優れ、火葬の妨げにならない保冷体、及び、係る保冷体を用いた保冷用具を提供することにある。
【課題を解決するための手段】
【０００６】
上記の目的を達成するための本発明の保冷体は、遺体を保冷するための保冷体であって、ケイ酸カルシウムとバーミキュライトとが混合されて成り、少なくともバーミキュライトに、液相をなす水、固相をなす水、若しくは、液相及び固相をなす水が含まれていることを特徴とする。
【０００７】
上記の目的を達成するための本発明の保冷用具は、遺体を保冷するための保冷用具であって、
（Ａ）保冷体、及び、
（Ｂ）保冷体が保持される保持部材、
から成り、
保冷体は、ケイ酸カルシウムとバーミキュライトとが混合されて成り、少なくともバーミキュライトに、液相をなす水、固相をなす水、若しくは、液相及び固相をなす水が含まれていることを特徴とする。
【０００８】
本発明の保冷体、及び、本発明の保冷用具を構成する保冷体（以下、これらを単に、本発明の保冷体等と呼ぶ場合がある）にあっては、保冷体に含まれる水の潜熱、より具体的には、固相をなす水（氷）が液化する際の溶解熱や液相をなす水の気化熱により保冷効果を奏する。本発明の保冷体等においては、保冷体の組成にもよるが、保冷体の乾燥重量の数十パーセント程度の水を含むことができる。本発明の保冷体等にあっては、多くの水を含ませた状態で用いることができるので、長時間保冷効果を維持することができる。
【０００９】
保冷体の形状や寸法は、特に限定するものではない。例えば、保冷体の形状を板状とする場合には、厚さが１ｍｍ程度の板状（シート状）であってもよいし、厚さ数ｍｍ〜十数ｍｍ程度の板状であってもよい。保冷体の形状や寸法は、保冷体の用途に応じて適宜設定すればよい。水を含む前の保冷体は、ケイ酸カルシウムとバーミキュライトとを混ぜて成る組成物から成る生シートを、例えば、抄造成形、押出し成形、プレス成形等の方法により形成し、オートクレーブ処理等をすることにより得ることができる。尚、上述した組成物には、炭酸マグネシウム、セメント等の親水性材料、パルプ、セルロース繊維等の補強用材料といった他の材料が、適宜配合されていてもよい。
【００１０】
ここで、バーミキュライトとは、ＳｉＯ2、ＭｇＯ、Ａｌ2Ｏ3を主成分とする薄片状の天然の鉱物である。このバーミキュライトは、通常１０〜２０％程度の水を含んでおり、高温（層間水が脱離し始める約３２０゜Ｃから１０００゜Ｃ）での急激な加熱により脱水され著しく膨張する。本発明の保冷体等にあっては未膨張のバーミキュライトを用いてもよいし、膨張したバーミキュライトを用いてもよい。更には、これらを併せて用いてもよい。上述した組成物を構成するバーミキュライトの粒径は、保冷体の仕様に応じて適宜設定すればよく、例えば０．５ｍｍ以下の粒径のバーミキュライトを用いることができる。上述した組成物へのバーミキュライトの配合は、未膨張のバーミキュライトを用いる場合には、上述した組成物のうち固形分が占める質量の５〜７０質量％、好ましくは１０〜５０質量％とすればよい。この場合において、更に、膨張バーミキュライトを２．５〜２０質量％程度配合してもよい。
【００１１】
上述した組成物から成る生シートがオートクレーブ処理されると、ケイ酸カルシウムはトバモライト等の結晶質ケイ酸カルシウム水和物となりマトリックスを構成する。これにより、バーミキュライトは、結晶質ケイ酸カルシウム水和物によって保持される。本発明の保冷体等にあっては「ケイ酸カルシウム」には「ケイ酸カルシウム水和物」も包含される。尚、組成物にパルプ、セルロース繊維等の補強用材料といった他の材料が配合された場合には、結晶質ケイ酸カルシウム水和物と他の材料とによってマトリックスが構成される。オートクレーブ処理によって得られた水を含む前の保冷体は、水に浸漬等されると水を吸い上げる。尚、水を含む前の保冷体に孔（例えば直径数ミリメートルの貫通孔）や溝を形成しておくと、水の吸い上げ性をより向上させることができる。本発明の保冷体が吸い上げた水は主にバーミキュライトに含まれるが、他の部分にも含まれ得る。上述したように、保冷体は、保冷体の乾燥重量の数十パーセント程度の水を含むことができる。また、液相の水を含んだ本発明の保冷体等を冷却することにより、固相をなす水（氷）を含んだ保冷体を得ることができる。本発明者の実験によれば、保冷体を−５０゜Ｃ程度まで冷却しても、水が氷となる際の体積膨張によって保冷体が変形したり破損したりすることはなかった。尚、水に塩化ナトリウム等を加えると水から氷に転移する温度が低下し、水の固化を遅らせることができる。保冷体の水が塩化ナトリウム等を含んだ構成とすることもできる。
【００１２】
上述した好ましい構成を含む本発明の保冷体等にあっては、薬剤が含まれている構成とすることができる。水を含む前の保冷体が薬剤を含んでいる態様であってもよいし、保冷体に含まれる水が薬剤を含んでいる態様であってもよい。薬剤として、抗菌剤、芳香剤、殺菌剤、消臭剤を例示することができるが、中でも、薬剤は抗菌性の薬剤である構成とすることができる。これにより、保冷体やその周辺に抗菌効果が及び、保冷体周辺の環境を好適に保つことができる。抗菌剤として、周知の無機系抗菌剤や有機系抗菌剤を適宜選択して用いることができる。例えば、無機系抗菌剤として安定化二酸化塩素、二酸化塩素、次亜塩素酸ナトリウムや、塩化銅、硝酸銅、塩化銀、硝酸銀等の金属イオン化合物を挙げることができ、有機系抗菌剤として、化学合成した抗菌剤の他、杉の精油、キトサン、ヒノキチオール、わさびエキス、辛子エキス、木酢等、天然由来の抗菌剤を挙げることができる。これらの抗菌剤の中でも、抗菌剤として安定化二酸化塩素を用いた構成は、継続的な効果を得るのに好適である。即ち、安定化二酸化塩素は、重炭酸ソ−ダ等を安定化剤として用いて二酸化塩素を水中に安定に溶解保持させたものであり、徐々に二酸化塩素が発生するので継続的な効果を得ることができる。水を含む前の保冷体をこれらの薬剤を含む水溶液等の溶液に浸漬したり、噴霧する等の周知の方法により、容易に保冷体に薬剤を含ませることができる。
【００１３】
本発明の保冷用具を構成する保持部材は、保冷用具の用途に応じて適宜好適な形態とすればよい。尚、保持部材に保持される保冷体の形状、個数、寸法についても、保冷用具の用途に応じて適宜好適な構成とすればよい。保持部材を構成する材料として、不織布、天然繊維、合成繊維等から成る布材等、広く周知の材料を用いることができる。尚、保持部材は、保冷体の表面の少なくとも一部が空気に触れた状態で保持することが好ましい。例えば、保持部材は袋体状や帯体状である構成とすることもできる。あるいは又、保持部材は衣服状である構成とすることもできる。保持部材に保冷体を保持する方法や構造は特に限定するものではなく、広く周知の方法や構造を適用することができる。例えば、保持部材にポケット状の収納部を形成し、その収納部に保冷体が収納されて保持される構造や、対を成す嵌合部材のうち一方の嵌合部材を保冷体に取付け、他方の嵌合部材を保持部材に取付け、それらの嵌合部材を嵌合させることにより保冷体が保持される構造を挙げることができる。上述した嵌合部材として、ボタン、バネホック、スナップボタン、面ファスナー等広く周知の嵌合部材を用いることができる。尚、保冷体は保持部材に間接的に保持される構成であってもよい。例えば、嵌合部材が取付られた収納袋の中に保冷体を収納し、その収納袋の嵌合部材と保持部材の嵌合部材とが嵌合されてもよい。
【００１４】
保冷体あるいは保冷用具は、棺の底部や側部といった棺の内部に配置される形態、遺体の頭部、首部、胸部、腹部に配置される形態、更には、腕や手首といった上肢部や、腿や足部といった下肢部に配置される形態等とすることができる。
【００１５】
保冷体を構成する材料にもよるが、本発明の保冷体を土壌中に埋めると徐々に風化し、最終的には土に還る。また、保冷体の成分は鉱物材料が主であり、焼却に伴う熱量の発生は少ない。保冷体を燃やすと灰となるが、その灰も上述したように鉱物材料が主であり、土壌に対し馴染みやすい。従って、本発明の保冷体は、火葬の妨げにならず、廃棄時における環境負荷も少ないといった利点を備えている。
【発明の効果】
【００１６】
本発明の保冷体にあっては、多くの水を含ませた状態で用いることができるので、長時間保冷効果を維持することができる。保冷体に含まれる水が固相をなす場合には、保冷体は、先ず、氷の融解熱による保冷効果を奏し、時間を経て水が液化した後は、水の気化熱によって保冷効果を奏する。従って、本発明の保冷体及び本発明の保冷用具によれば、長時間保冷効果を維持することができる。
【００１７】
また、予め保冷体に含ませた水の量にもよるが、本発明の保冷体においては、遺体から滲出する液体を吸い取ることができる。更に、薬剤が含まれている構成、例えば、抗菌剤を含んだ構成にあっては、保冷体やその周辺に抗菌効果が及び、遺体から異臭等が発生する等の不都合を軽減することができる。また、本発明の保冷体を構成する材料は、天然の鉱物材料であるバーミキュライトとケイ酸カルシウム等から構成されているので、製造が容易であり、火葬の妨げにならず、廃棄時における環境負荷も少ないといった利点を備えている。
【発明を実施するための最良の形態】
【００１８】
以下、図面を参照して、実施例に基づき本発明を説明する。
【実施例】
【００１９】
実施例は、本発明の保冷体、及び、本発明の保冷用具に関する。
【００２０】
図１の（Ａ）〜（Ｅ）は、実施例の保冷体の製造方法を説明するための模式的な工程図である。以下、実施例の保冷体の製造方法について説明する。後述するように、実施例の保冷体１は、薬剤の水溶液１０を含んでいる。実施例では、薬剤として安定化二酸化塩素を用いた。
【００２１】
実施例において、保冷体１を、以下の手順により製造した。先ず、粒径０．５ｍｍ以下の未膨張バーミキュライトをケイ酸カルシウムとセメント等の親水性基材に配合し、未膨張バーミキュライトの配合量が約４０質量％である組成物を得る。尚、補強用材料としてパルプを約６質量％配合した。
【００２２】
未膨張バーミキュライトは、親水性基材に配合するに先立ち、１０５〜２００゜Ｃの飽和蒸気圧での水蒸気処理等の活性化処理を施したが、これに限るものではない。活性化処理されていない未膨張バーミキュライトを水熱反応前に配合しても、その後のオートクレーブ処理による水熱反応により、結果的に活性化処理が成される。
【００２３】
上述した組成物と水を混合してスラリーとした後、抄造成形によりこの組成物から成る生シートを形成し、次いで、オートクレーブ処理することにより、板状に加工する。その後、図１の（Ａ）に示すように、所定の形状、寸法に加工する。これにより、図１の（Ｂ）に示すように、水を含む前の保冷体１を得ることができる。
【００２４】
次いで、図１の（Ｃ）に示すように、所定の濃度の薬剤（抗菌剤）を含む水溶液１０を調製し、水溶液１０を満たした槽１１に、水を含む前の保冷体１を浸漬した。薬剤の濃度は、保冷体１の用途に応じて好適に設定すればよい。
【００２５】
これにより、薬剤を含む水が保冷体１に吸い上げられる。具体的には、保冷体１の乾燥重量の約５０〜６０％程度の水が、保冷体１に吸い上げられる。尚、例えば、保冷体１に水溶液１０を噴霧等して吸い上げさせてもよい。これにより、少なくともバーミキュライトに液相をなす水が含まれた状態の保冷体１を得ることができる。尚、水を含む前の保冷体１に孔（例えば直径数ミリメートルの貫通孔）や溝が形成されていてもよい。
【００２６】
次いで、実施例にあっては、図１の（Ｄ）に示すように、冷凍庫１２内に保冷体１を搬入する等といった方法により、保冷体１を冷却した。保冷体１が水を吸い上げた状態で充分冷却されると、吸い上げられた水は液相から固相に変化する。これにより、固相をなす水（氷）を含んだ保冷体１を得ることができる。水が氷となる際の体積膨張によって保冷体１が破損することはない。
【００２７】
保冷体１にあっては、多くの水を含ませた状態で用いることができるので、長時間保冷効果を維持することができる。固相をなす水（氷）を含んだ保冷体１は、先ず、氷の融解熱による保冷効果を奏し、時間を経て氷が液化した後は、水の気化熱によって保冷効果を奏する。従って、長時間保冷効果を維持することができる。また、保冷体１及びその周辺に抗菌効果が及び、周囲の環境を好適に保つことができる。
【００２８】
尚、図１の（Ｃ）〜（Ｄ）、及び、後述する図２においては、保冷体１をそのまま用いるとして説明した。しかし、例えば、図１の（Ｅ）に示すように、保冷体１が通気性を有する袋体１３に包まれた状態で用いてもよい。保冷体１を袋体１３に包むことにより、保冷体１のかけらが周囲に飛散することが軽減される。尚、便宜のため、図１の（Ｅ）においては、袋体１３の一部が開いた状態を示した。袋体１３は、例えば、ナイロン、ポリエチレン、コットン、不織布、ガーゼ等、周知の布材等から構成することができる。
【００２９】
図２は、保冷体１を棺１４内に配置した状態を説明する模式図な斜視図である。図２に示す例では、棺１４の底部に保冷体１が載置されている。更に、遺体１５の腹部及び胸部を覆うように保冷体１が配置されている。尚、頭部や下肢部を覆うように保冷体１を配置することもできる。固相をなす水（氷）を含んだ保冷体１は、先ず、氷の融解熱による保冷効果を奏し、時間を経て氷が液化した後は、水の気化熱によって保冷効果を奏する。また、保冷体１は抗菌剤を含んでいるので、保冷体１及びその周辺に抗菌効果が及ぶ。更には、保冷体１に含まれる水の量にもよるが、遺体１５から滲出する液体は保冷体１に吸い取られる。保冷体１には抗菌剤が含まれているので、保冷体１が吸い取った液体における雑菌の繁殖が抑制される。これらの効果により、遺体から異臭等が発生する等の不都合を軽減することができる。
【００３０】
次いで、上述した保冷体１を用いた保冷用具について説明する。図３の（Ａ）は、実施例の保冷用具２を分解した模式的な斜視図である。図３の（Ｂ）は、保冷用具２を棺１４内に配置した状態を説明する模式図な斜視図である。
【００３１】
図３の（Ａ）に示すように、保冷用具２は、保冷体１、及び、保冷体１が保持される保持部材２０から成る。実施例においては、保持部材２０を、レース等の布材２１Ａ，２１Ｂから構成した。
【００３２】
保冷体１を挟んで包むのに足りる広さの布材２１Ａ，２１Ｂを準備し、次いで、開口部２２を形成しつつ布材２１Ａ，２１Ｂの周辺部を縫製する。次いで、開口部２２から保持部材２０内に保冷体１を収納する。保冷体１は保持部材２０内に収納され保持される。以上の工程により、保冷用具２を得ることができる。尚、保冷体１は袋体１３に包まれた状態で、保持部材２０内に収納されてもよい。保冷用具２は、例えば図３の（Ｂ）に示すように、棺１４の底部に載置される。
【００３３】
図４も、上述した保冷体１を用いた保冷用具の模式的な斜視図である。保冷用具３は、保冷体１、及び、保冷体１が保持される帯体状の保持部材３０から成る。保持部材３０を、レース等の布材３１Ａ，３１Ｂから構成した。
【００３４】
保冷体１を複数挟んで包むのに足りる広さの布材３１Ａ，３１Ｂを準備し、次いで、ポケット状の収納部３２を形成しつつ布材３１Ａ，３１Ｂを縫製する。次いで、収納部３２内に保冷体１を収納する。保冷体１は収納部３２内に収納され保持される。以上の工程により、保冷用具３を得ることができる。尚、保冷体１は袋体１３に包まれた状態で、収納部３２に収納されてもよい。保冷用具３は、例えば、図３の（Ｂ）に示したと同様に、棺１４の底部に載置されてもよいし、図２に示したと同様に、遺体１５の胸部及び腹部を覆うように配置されてもよい。保冷用具３は帯体状であるので、遺体１５を覆うように配置するのに好適である。
【００３５】
以上、本発明を好ましい実施例に基づき説明したが、本発明はこれらの実施例に限定されるものではない。実施例において説明した保冷体、保持部材、保冷用具を構成する各種の構成要素の構成、構造、製造方法における工程は例示であり、適宜、変更することができる。例えば、上述した実施例では、保冷用具は、既に冷却された保冷体が保持部材に収納されて成るとして説明したが、これに限るものではない。例えば、水を含む前の保冷体を保持部材に収納して保持した状態で図１の（Ｃ）に示す漕１１に浸漬し、その後、冷却して、保冷用具を得ることもできる。
【図面の簡単な説明】
【００３６】
【図１】図１の（Ａ）〜（Ｅ）は、保冷体の製造方法を説明するための模式的な工程図である。
【図２】図２は、保冷体を棺内に配置した状態を説明する模式図な斜視図である。
【図３】図３の（Ａ）は、保冷用具を分解した模式的な斜視図である。図３の（Ｂ）は、保冷用具を棺内に配置した状態を説明する模式図な斜視図である。
【図４】図４は、保冷用具の模式的な斜視図である。
【符号の説明】
【００３７】
１・・・保冷体、２・・・保冷用具、３・・・保冷用具、１０・・・水溶液、１１・・・槽、１２・・・冷凍庫、１３・・・袋体、１４・・・棺、１５・・・遺体、１６・・・周辺部、２０・・・保持部材、２１Ａ，２１Ｂ・・・布材、２２・・・開口部、３０・・・保持部材、３１Ａ，３１Ｂ・・・布材、３２・・・収納部
【図１】
2009000271.tif 000003
【図２】
2009000271.tif 000004
【図３】
2009000271.tif 000005
【図４】
2009000271.tif 000006